(57)【特許請求の範囲】
【請求項１】
オーディオ信号を帯域毎に分割するための複数の帯域別フィルタと、
該複数の帯域別フィルタにより帯域毎に分割されたオーディオ信号に対して各々のオーディオ信号毎にゲイン調整を行うゲイン調整手段と、
ゲイン調整が行われた各オーディオ信号の合成処理を行う合成処理手段と
を有するフィルタ手段と、
前記ゲイン調整手段において調整されるゲイン値を、オーディオ信号の信号レベルまたはユーザによって設定される音量レベルに応じて前記帯域別フィルタ毎に算出するゲイン計算手段と
を備え、
該帯域別フィルタは、各帯域別フィルタによりフィルタ処理されたオーディオ信号を前記合成処理手段で合成した場合において、合成されたオーディオ信号に干渉が生じないように各帯域別フィルタのフィルタ特性が設定され、
前記フィルタ手段が複数設けられると共に、該複数のフィルタ手段がカスケード接続され、
前記ゲイン計算手段は、カスケード接続される前記フィルタ手段の設置数に応じて、前記帯域別フィルタ毎に調整されるゲイン値を、前記帯域別フィルタの帯域種別毎に分配すること
を特徴とする聴覚感度補正装置。
【請求項２】
前記帯域別フィルタには、１次のＩＩＲフィルタとしてハイパスフィルタまたはローパスフィルタが用いられることを特徴とする請求項１に記載の聴覚感度補正装置。
【請求項３】
前記帯域別フィルタには、２次のＩＩＲフィルタとしてピーキングフィルタが用いられることを特徴とする請求項１または請求項２に記載の聴覚感度補正装置。
【発明の詳細な説明】
【技術分野】
【０００１】
本発明は、聴覚感度補正装置に関し、より詳細には、オーディオ信号を帯域別にフィルタ処理した後に合成することによって、オーディオ信号にラウドネス特性を付加することが可能な聴覚感度補正装置に関する。
【背景技術】
【０００２】
一般的なオーディオ再生装置には、スピーカから出力される音量を調節するための音量調節部が設けられており、ユーザは音量調節部を操作することによって、スピーカ等から出力される音量を好適に調節することが可能となっている。
【０００３】
しかしながら、一般的な音量調節部では、一定量（例えば、＋６ｄB〜１２ｄＢ程度）しか音量調節を行うことができず、これ以上の調節が必要な場合や、十分なラウドネス特性を備えた音質を得たい場合には、音量調節部の操作によって要求を満たすことができないという問題があった。
【０００４】
このような要求を満たすために、出力音の音量に対する聴覚感度の補正を行うラウドネス制御装置（聴覚感度補正装置）が提案されている（例えば、特許文献１参照）。ラウドネス制御装置は、オーディオ信号を低域、中域、高域に帯域分割し、音量調節部の操作量に連動させて低域、中域、高域のゲインを変更させつつそれぞれの帯域のオーディオ信号を合成してスピーカ等から出力させ、聴覚感度補正を行うものである。
【特許文献１】特開２０００−１９７１８２号公報（第４−５頁、第１図）
【発明の開示】
【発明が解決しようとする課題】
【０００５】
ところで、上述したラウドネス制御装置では、帯域分割した音域毎の信号を合成させる場合に、帯域間の位相の差異により信号の干渉が発生して合成信号の波長にディップ（歪み）などが発生する場合があり得る。このようなディップが発生した場合、上述したラウドネス制御装置では、補正レベルに応じてフィルタのカットオフ周波数を変化させることによって、ラウドネス特性を滑らかにする処理を行っている。
【０００６】
しかしながら、レベルに応じてフィルタのカットオフ周波数を変化させるためには、ラウドネス制御装置において複数のフィルタ係数を備える必要が生ずるため、多くの係数データを格納するための手段が必要になるという問題があった。
【０００７】
また、帯域分割フィルタとしてＩＩＲ（無限インパルス応答）フィルタを使用する場合に、オーディオ信号の再生を行いながらフィルタ係数を変更させると、フィードバック動作中に係数が変化することによって、音響処理動作が不安定になったり、異音が発生して聞こえてしまったりするおそれがあった。
【０００８】
本発明は、上記問題に鑑みてなされたものであり、オーディオ信号に対してカットオフ周波数を可変させることなくフィルタ処理を施して帯域分割し、分割された帯域毎のオーディオ信号を合成する場合に各帯域の信号の干渉を低減させることによって、好適なラウドネス特性を出力音に付加することが可能な聴覚感度補正装置を提供することを課題とする。
【課題を解決するための手段】
【０００９】
上記課題を解決するために、本発明に係る聴覚感度補正装置は、オーディオ信号を帯域毎に分割するための複数の帯域別フィルタと、該複数の帯域別フィルタにより帯域毎に分割されたオーディオ信号に対して各々のオーディオ信号毎にゲイン調整を行うゲイン調整手段と、ゲイン調整が行われた各オーディオ信号の合成処理を行う合成処理手段とを有するフィルタ手段と、前記ゲイン調整手段において調整されるゲイン値を、オーディオ信号の信号レベルまたはユーザによって設定される音量レベルに応じて前記帯域別フィルタ毎に算出するゲイン計算手段とを備え、該帯域別フィルタは、各帯域別フィルタによりフィルタ処理されたオーディオ信号を前記合成処理手段で合成した場合において、合成されたオーディオ信号に干渉が生じないように各帯域別フィルタのフィルタ特性が設定され、前記フィルタ手段が複数設けられると共に、該複数のフィルタ手段がカスケード接続され、前記ゲイン計算手段は、カスケード接続される前記フィルタ手段の設置数に応じて、前記帯域別フィルタ毎に調整されるゲイン値を、前記帯域別フィルタの帯域種別毎に分配することを特徴とする。
【００１０】
本発明に係る聴覚感度補正装置によれば、フィルタ手段に設けられる帯域別フィルタのフィルタ特性が、各帯域別フィルタによりフィルタ処理されたオーディオ信号を合成処理手段で合成した場合において、信号間の干渉が生じないように設定されているので、ラウドネス補正が行われた信号の干渉を抑制することができる。このため、音にひずみやノイズなどの障害が生ずることのない最適なラウドネス効果をオーディオ信号に付加することが可能となる。
【００１１】
また、それぞれのフィルタ部の音響補正特性を考慮した（変化させた）上で、各フィルタ部をカスケード接続により組み合わせて接続させることによって、従来のラウドネス制御装置のように帯域別フィルタのカットオフ周波数を可変させることなく滑らかなラウドネス特性をオーディオ信号に付加させることができる。また、カットオフ周波数を個別に可変させる必要がないため、多数の係数データを格納しておく必要がない。
【００１２】
さらに、ゲイン計算手段が、音量レベルまたはオーディオ信号のレベルに応じて、ラウドネス効果を付加するためのゲイン値を分配・調整するので、音量レベルまたはオーディオ信号のレベルに応じて最適かつ効果的なラウドネス補正をオーディオ信号に付加することが可能となり、聴取者に対して良質な音質（ラウドネス特性）を備えた音楽を提供することが可能となる。
【００１３】
特に、本発明に係る帯域別フィルタを用いてフィルタ処理されたオーディオ信号は、合成された場合において信号に干渉が発生しない。このため、ゲイン計算手段が、フィルタ手段の設置数に応じてゲイン値を帯域種別毎に分配することによって、合成時に干渉等を生じさせることなく効果的にゲイン調整を行うことが可能となり、結果として最適なラウドネス効果をオーディオ信号に付加することが可能となる。
【００１４】
また、上述した聴覚感度補正装置の帯域別フィルタとして、１次のＩＩＲフィルタであるハイパスフィルタまたはローパスフィルタを用いることが好ましい。
【００１５】
このように、帯域別フィルタに１次のＩＩＲフィルタであるハイパスフィルタまたはローパスフィルタを用いる場合には、ハイパスフィルタおよびローパスフィルタによってフィルタ処理が施されたオーディオ信号の位相を±９０度以内に納めることが可能となる。このため、それぞれのフィルタによりフィルタ処理されたオーディオ信号を合成しても、合成されたオーディオ信号における干渉の発生を抑制すること可能となり、滑らかなラウドネス特性をオーディオ信号に付加させることができる。
【００１６】
さらに、上述した聴覚感度補正装置の帯域別フィルタとして、２次のＩＩＲフィルタであるピーキングフィルタを用いることが好ましい。
【００１７】
このように、帯域別フィルタの特定帯域用のフィルタとしてピーキングフィルタを用いる場合には、ピーキングフィルタを用いてフィルタ処理が施されたオーディオ信号と、他の帯域用のフィルタ、例えば、１次のＩＩＲフィルタとしてのハイパスフィルタやローパスフィルタなどによってフィルタ処理が施されたオーディオ信号とを合成処理した場合であっても、合成されたオーディオ信号における干渉の発生を抑制することができ、オーディオ信号に滑らかなラウドネス特性を付加することが可能となる。
【発明の効果】
【００１８】
本発明に係るラウドネス制御装置では、帯域別フィルタのフィルタ特性が、各帯域別フィルタによりフィルタ処理されたオーディオ信号を合成処理手段で合成した場合において、信号間の干渉が生じないように設定がなされている。このため、聴覚感度補正装置を用いることによって、ラウドネス補正がなされた信号の干渉を抑制することができ、音にひずみやノイズなどの障害が生ずることのない最適なラウドネス効果をオーディオ信号に付加することが可能となる。
【００１９】
また、複数のフィルタ手段をカスケード接続によって接続させることによって、オーディオ信号にラウドネス補正を施すので、各々のフィルタ手段の周波数特性を考慮して（変化させて）、フィルタ手段を組み合わせることにより、フィルタ手段毎にカットオフ周波数を変更させることなくオーディオ信号に好適なラウドネス補正を施すことが可能となる。
【００２０】
さらに、ゲイン計算手段が、音量レベルまたはオーディオ信号のレベルに応じて、ラウドネス効果を付加するためのゲイン値を分配・調整するので、音量レベルまたはオーディオ信号のレベルに応じて最適かつ効果的なラウドネス補正をオーディオ信号に付加することが可能となり、聴取者に対して良質な音質（ラウドネス特性）を備えた音楽を提供することが可能となる。
【発明を実施するための最良の形態】
【００２１】
以下に、本発明に係る聴覚感度補正装置について説明を行う。
【００２２】
図１は、聴覚感度補正装置の概略構成を示したブロック図である。聴覚感度補正装置１は、ゲイン計算部（ゲイン計算手段）２と、カスケード接続された複数のラウドネスフィルタ部（フィルタ手段）３、４とを備えている。本実施の形態に示す聴覚感度補正装置１では、説明の便宜上、図１に示すように２つのラウドネスフィルタ部３、４が接続された場合を一例として用いて説明するが、ラウドネスフィルタ部の接続数は２つに限定されるものではなく、３つ以上のラウドネスフィルタ部を連結させることによって構成されるものであってもよい。
【００２３】
ラウドネスフィルタ部３、４は、ラウドネスフィルタとして、１次もしくは２次のＩＩＲフィルタ（帯域別フィルタ）５〜８と、それぞれのフィルタによりフィルタ処理されたオーディオ信号に対して、ゲイン調整を行うための積算器（ゲイン調整手段）１１〜１４と、各積算器１１〜１４においてゲイン調整されたオーディオ信号の合成処理を行う加算器１５（合成処理手段）１５、１６とによって構成されている。
【００２４】
具体的には、ラウドネスフィルタとして、１次のＩＩＲフィルタを用いる場合には、低域通過フィルタ（以下、「ＬＰＦ」という）や高域通過フィルタ（以下、「ＨＰＦ」という）を用い、ラウドネスフィルタとして、２次のＩＩＲフィルタを用いる場合には、ピーキングフィルタを適用する。
【００２５】
１次のＩＩＲフィルタとしてＬＰＦやＨＰＦを用いた場合、あるいは、２次のＩＩＲフィルタとしてピーキングフィルタを用いた場合には、フィルタ処理された各帯域のオーディオ信号の位相変化を最大±９０度以内に収めることができる。従って、全ての周波数に対して各帯域（例えば、低域および高域）のゲインを合成した場合であっても、合成されたオーディオ信号において干渉を生ずるおそれが低いという特徴を備えている。
【００２６】
例えば、ラウドネスフィルタ部３のラウドネスフィルタとして１次のＩＩＲフィルタを用いる場合において、カットオフ周波数が９０ＨｚのＬＰＦ（例えば、バタワースフィルタ）５と、カットオフ周波数９ｋＨｚのＨＰＦ（例えば、バタワースフィルタ）６とを使用し、ゲインをそれぞれ１０ｄＢとした場合のフィルタの振幅特性を図２に示し、位相特性を図３に示す。
【００２７】
このように、１次のＩＩＲフィルタとしてＬＰＦ５やＨＰＦ６を使用し、帯域毎の周波数および合成された周波数の位相特性を図３から判断すると、全帯域において、低域の周波数および高域の周波数の位相差は±９０度以内になっており、各帯域の周波数を合成した場合であっても、図２に示す振幅特性より明らかなように、各帯域の周波数をほとんど干渉させることなく全ての周波数を合成させることが可能となる。従って、所望のラウドネス特性に応じてＬＰＦ５およびＨＰＦ６のフィルタ特性を考慮（調節・変更）して、各帯域のゲインを合成させることによって、干渉をほとんど発生させることなく好適なラウドネス特性を得ることが可能となる。
【００２８】
本発明に係る聴覚感度補正装置１では、各帯域の周波数を合成した場合であっても干渉することなく合成を行うことが可能なフィルタ特性をラウドネスフィルタとして用いる。このため、各帯域の周波数を合成した場合に干渉を生じてしまうようなフィルタ特性を備えたフィルタをラウドネスフィルタとして用いることはできない。
【００２９】
例えば、２次のＩＩＲフィルタとして、カットオフ周波数９０ＨｚのＬＰＦ（例えば、バタワースフィルタ）と、カットオフ周波数９ｋＨｚのＨＰＦ（例えば、バタワースフィルタ）とを使用し、ゲインをそれぞれ１０ｄＢとした場合のフィルタの振幅特性を図４に示し、位相特性を図５に示す。
【００３０】
図５に示す位相特性をみると、低域および高域の位相差が最大で±１８０度となっており、各帯域の周波数を合成することによって、図４に示す振幅特性より明らかなように、干渉に伴うディップが発生する。このように、２次のＩＩＲフィルタにおいてＬＰＦおよびＨＰＦを用いると位相差が±９０度以上となってしまうため、２次のＩＩＲフィルタを用いる場合には、ピーキングフィルタを用いる。ピーキングフィルタを２次のＩＩＲフィルタとして用いることにより、合成された周波数の干渉を回避することが可能となる。
【００３１】
例えば、ラウドネスフィルタ部４のラウドネスフィルタとして２次のＩＩＲフィルタを用いる場合、図６に示すように、中心周波数が４０Ｈｚ、選択度Ｑが１のピーキングフィルタ７を用いることによって低域の周波数を中心としたフィルタ処理を施すことができる。なお、本実施の形態では、ピーキングフィルタ７を、低域の周波数を中心とした低域用のフィルタとして使用するが、ピーキングフィルタは必ずしも低域用のフィルタとして用いる場合には限定されず、中域用や高域用のフィルタとして用いることも可能である。
【００３２】
さらに、本実施の形態に係る聴覚感度補正装置１では、ラウドネスフィルタ部４のラウドネスフィルタとして、上述したピーキングフィルタ７に加えて１次のＩＩＲフィルタを用いることにする。１次のＩＩＲフィルタとしてカットオフ周波数１２ｋＨｚのＨＰＦ（例えば、バタワースフィルタ）８を、高域用のフィルタとして使用し、ピーキングフィルタ７およびＨＰＦ８のゲインをそれぞれ１０ｄＢとした場合のフィルタの振幅特性を図６に示す。また、上述したラウドネスフィルタ部３とラウドネスフィルタ部４とをカスケード接続したトータルのラウドネス特性を、図７に示す。
【００３３】
上述したように、ラウドネスフィルタ部３においては、１次のＩＩＲフィルタとしてＬＰＦ５やＨＰＦ６を用いることにより、合成された周波数の干渉を防止することができ、さらにラウドネスフィルタ部４においては、２次のＩＩＲフィルタとしてピーキングフィルタ７を用い、さらに、１次のＩＩＲフィルタとしてＨＰＦ８を用いることによって、合成された周波数の干渉を防止することができる。
【００３４】
さらに、干渉を防止することが可能なラウドネスフィルタ部３とラウドネスフィルタ部４とをカスケード接続により接続させて、各ラウドネスフィルタ部３、４でフィルタ処理されたオーディオ信号の周波数を合成することによって、全体として干渉をほとんど発生させることなく所望のラウドネス特性を得ることが可能となる。
【００３５】
特に、各ラウドネスフィルタ部３、４のカットオフ周波数等のパラメータは、それぞれ予め独立して任意に設定することができるため、パラメータを好適に設定しておくことによって、所望のラウドネス特性を簡易かつ効果的に得ることが可能となる。
【００３６】
なお、本実施の形態では、２個のラウドネスフィルタ部３、４をカスケード接続させることによって聴覚感度補正装置１が構成される場合について説明を行うが、上述したような干渉を防止することが可能な複数（３個以上）のラウドネスフィルタ部をカスケード接続することで、より効果的なラウドネス特性を得ることが可能となる。
【００３７】
次に、ゲイン計算部２について説明を行う。ゲイン計算部２は、ユーザが設定・操作する音量調整部（図示せず）の音量レベルに応じて、もしくはオーディオ信号のレベルに応じて、信号の低域のゲインと高域のゲインとを計算する役割を有している。
【００３８】
図８は、音量調整部によって調整される音量レベルや、オーディオ信号のレベルに応じて算出されるゲイン補正量を示している。図８に示すように、レベルが０ｄＢの場合には、各フィルタ部のゲインが低域、高域ともに０ｄＢとなり、レベルが−３０ｄＢの場合には、低域のゲインは２４ｄＢ、高域のゲインは２０ｄＢとなるようにゲイン補正（ゲイン調整）がなされている。
【００３９】
図８に示されるにようにしてゲイン補正がなされた帯域別フィルタのゲインは、設定される帯域別フィルタの数に対応させてそれぞれ分配され、図１に示す積算器１１、１２により補正処理が行われる。例えば、本実施の形態に示すように、２個のラウドネスフィルタ部３、４が接続されている場合には、それぞれの高域用のフィルタ（ＨＰＦ６およびＨＰＦ８）と低域用のフィルタ（ＬＰＦ５とピーキングフィルタ７）とに対して、補正されたゲインを、均等になるように分配する。
【００４０】
レベルが−３０ｄＢの場合には、図８に示すように、低域のゲインは２４ｄＢ、高域のゲインは２０ｄＢとなる。このため、これらのゲインを均等に分配する場合には、それぞれ低域用のフィルタ（ＬＰＦ５とピーキングフィルタ７）の補正ゲインは１２ｄＢとなり、高域用のフィルタ（ＨＰＦ６とＨＰＦ８）の補正ゲインは１０ｄＢとなる。
【００４１】
このような条件において、オーディオ信号としてホワイトノイズとピンクノイズを設定し、各ノイズのレベルを０ｄＢ、−１２ｄＢ、−２４ｄＢ、−３６ｄＢとした場合の聴覚感度補正装置１の出力周波数特性を、図９、図１０、図１１、図１２に示す。
【００４２】
図９は、聴覚感度補正装置１を用いたラウドネス補正を行っていないホワイトノイズの周波数特性を示しており、図１０は、聴覚感度補正装置１を用いたラウドネス補正を行ったホワイトノイズの周波数特性を示している。また、図１１は、聴覚感度補正装置１を用いたラウドネス補正を行っていないピンクノイズの周波数特性を示しており、図１２は、聴覚感度補正装置１を用いたラウドネス補正を行ったピンクノイズの周波数特性を示している。
【００４３】
図９〜図１２に示す周波数特性から明らかなように、聴覚感度補正装置１を用いてオーディオ信号の補正を行うことによって、各帯域に応じて低域の周波数のゲインと高域の周波数のゲインとが増強されると共に、合成されたオーディオ信号の干渉を防止して信号にディップを発生させることなくラウドネス効果を付加することが可能となる。
【００４４】
以上説明したように、本実施の形態に係る聴覚感度補正装置１では、聴覚感度補正装置１をカスケード接続された複数のラウドネスフィルタ部３、４により構成し、各ラウドネスフィルタ部３、４が、異なる帯域毎にフィルタ処理を行うための複数のラウドネスフィルタ５〜８を備え、さらに、当該ラウドネスフィルタとして、フィルタ処理された各帯域のオーディオ信号を合成させても干渉の生ずることのないフィルタを用いるので、結果として音にひずみやノイズなどの障害が生ずることのない最適なラウドネス効果をオーディオ信号に付加することが可能となる。
【００４５】
さらに、音量調節部の音量レベルまたはオーディオ信号のレベルに応じて、ラウドネス効果を付加するためのゲインを分配・調整することによって、音量調節部のレベルまたはオーディオ信号のレベルに応じて最適なラウドネス補正を行うことが可能となり、聴取者に対して良質な音質（ラウドネス特性）を備えた音楽を提供することが可能となる。
【００４６】
以上、本発明に係る聴覚感度補正装置について、図面を用いて詳細に説明したが、本発明に係る聴覚感度補正装置は上述した実施の形態に限定されるものではない。当業者であれば、特許請求の範囲に記載された範疇内において、各種の変更例または修正例に想到しうることは明らかであり、それらについても当然に本発明の技術的範囲に属するものと了解される。
【００４７】
例えば、本実施の形態に示した聴覚感度補正装置１では、ラウドネスフィルタ部３のラウドネスフィルタとして低域用フィルタおよび高域用フィルタに１次のＩＩＲフィルタを用い、ラウドネスフィルタ部４のラウドネスフィルタとして低域用フィルタに２次のＩＩＲフィルタを用い、高域用フィルタとして１次のＩＩＲフィルタを用いたが、高域用フィルタと低域用フィルタの組み合わせは、上述した実施の形態に係る組み合わせに限定されない。例えば、ラウドネスフィルタ部４の低域用フィルタに、１次のＩＩＲフィルタとしてＬＰＦを用い、高域用フィルタに、２次のＩＩＲフィルタとしてピーキングフィルタを用いる組み合わせであってもよい。さらにラウドネスフィルタ部に用いられるフィルタは、必ずしもＩＩＲフィルタには限定されず、ＦＩＲフィルタ等を用いるものであってもよい。
【図面の簡単な説明】
【００４８】
【図１】本実施の形態に係る聴覚感度補正装置の概略構成を示したブロック図である。
【図２】本実施の形態に係るラウドネスフィルタとして１次のＩＩＲフィルタを用い、カットオフ周波数が９０ＨｚのＬＰＦと、カットオフ周波数９ｋＨｚのＨＰＦとを使用し、ゲインをそれぞれ１０ｄＢとした場合のフィルタの振幅特性を示した図である。
【図３】本実施の形態に係るラウドネスフィルタとして１次のＩＩＲフィルタを用い、カットオフ周波数が９０ＨｚのＬＰＦと、カットオフ周波数９ｋＨｚのＨＰＦとを使用し、ゲインをそれぞれ１０ｄＢとした場合のフィルタの位相特性を示した図である。
【図４】ラウドネスフィルタとして２次のＩＩＲフィルタを用い、カットオフ周波数９０ＨｚのＬＰＦと、カットオフ周波数９ｋＨｚのＨＰＦとを使用し、ゲインをそれぞれ１０ｄＢとした場合のフィルタの振幅特性を示した図である。
【図５】ラウドネスフィルタとして２次のＩＩＲフィルタを用い、カットオフ周波数９０ＨｚのＬＰＦと、カットオフ周波数９ｋＨｚのＨＰＦとを使用し、ゲインをそれぞれ１０ｄＢとした場合のフィルタの位相特性を示した図である。
【図６】ラウドネスフィルタとして２次のＩＩＲフィルタであって、中心周波数が４０Ｈｚ、選択度Ｑが１のピーキングフィルタ７を低域用フィルタとして用い、１次のＩＩＲフィルタであって、カットオフ周波数１２ｋＨｚのＨＰＦを高域用のフィルタとして使用し、ゲインをそれぞれ１０ｄＢとした場合のフィルタの振幅特性を示す図である。
【図７】本実施の形態に係るラウドネスフィルタ部３とラウドネスフィルタ部４とをカスケード接続した場合におけるトータルのラウドネス特性を示した図である。
【図８】本実施の形態に係るゲイン計算部において、音量調整部において調整されるレベルや、オーディオ信号のレベルに応じて算出されるゲイン補正量を示した図である。
【図９】本実施の形態に係る聴覚感度補正装置を用いたラウドネス補正を行っていないホワイトノイズの周波数特性を示している。
【図１０】本実施の形態に係る聴覚感度補正装置を用いたラウドネス補正を行ったホワイトノイズの周波数特性を示している。
【図１１】本実施の形態に係る聴覚感度補正装置を用いたラウドネス補正を行っていないピンクノイズの周波数特性を示している。
【図１２】本実施の形態に係る聴覚感度補正装置を用いたラウドネス補正を行ったピンクノイズの周波数特性を示している。
【符号の説明】
【００４９】
１     …聴覚感度補正装置
２     …ゲイン計算部（ゲイン計算手段）
３、４    …ラウドネスフィルタ部（フィルタ手段）
５     …ＬＰＦ（帯域別フィルタ、ローパスフィルタ）
６、８     …ＨＰＦ（帯域別フィルタ、ハイパスフィルタ）
７     …ピーキングフィルタ（帯域別フィルタ）
１１〜１４   …積算器（ゲイン調整手段）
１５、１６   …加算器（合成処理手段）
【図１】
0005002414.tif 000002
【図２】
0005002414.tif 000003
【図３】
0005002414.tif 000004
【図４】
0005002414.tif 000005
【図５】
0005002414.tif 000006
【図６】
0005002414.tif 000007
【図７】
0005002414.tif 000008
【図８】
0005002414.tif 000009
【図９】
0005002414.tif 000010
【図１０】
0005002414.tif 000011
【図１１】
0005002414.tif 000012
【図１２】
0005002414.tif 000013